(57)【要約】【課題】被着体の屈曲部が直角や鋭角であっても治具の方向転換を容易に行うことができ、粘着テープの保持も確実に行うことのできる貼付治具を提供すること。【解決手段】テープ貼付ヘッド、治具ガイド及び一対の上下に相対する部材の組み合わせからなるテープ保持部材を含んでなるとともに、治具ガイドが、その移動時に被着体のテープ被着面とは反対側の面に当接可能な案内ピンをさらに備えているように構成する。【選択図】　　　図３
2004142932.tif 000002
【特許請求の範囲】
【請求項１】
屈曲部及び（又は）湾曲部を備えた被着体に粘着テープを貼付するための貼付治具であって、
前記粘着テープを前記被着体のテープ被着面に圧着して貼付するテープ貼付ヘッド、
前記貼付治具を前記被着体に沿って案内するためのものであって、前記被着体を挟んで前記テープ貼付ヘッドとは反対の側に配置された治具ガイド、及び
一対の上下に相対する部材の組み合わせからなり、テープ案内空間を形成したテープ保持部材
を含んでなるとともに、
前記治具ガイドが、その移動時に前記被着体のテープ被着面とは反対側の面に当接可能な案内ピンをさらに備えていることを特徴とする粘着テープの貼付治具。
【請求項２】
前記被着体の形状にかかわらず、その被着面上を当該貼付治具の着脱を伴わずに連続して走行可能であることを特徴とする請求項１に記載の貼付治具。
【請求項３】
前記テープ保持部材が、矩形断面を有する平板状部材と、それに相対する山形断面を有する平板状部材とからなることを特徴とする請求項１又は２に記載の貼付治具。
【請求項４】
前記テープ貼付ヘッドが、少なくとも１個の円筒形部材からなることを特徴とする請求項１〜３のいずれか１項に記載の貼付治具。
【請求項５】
前記円筒形部材が、粘着テープの滑動促進層及び緩衝層としての機能を有する表層を備えることを特徴とする請求項４に記載の貼付治具。
【請求項６】
前記治具ガイドが、矩形断面を有する平板状部材からなることを特徴とする請求項１〜５のいずれか１項に記載の貼付治具。
【請求項７】
前記治具ガイドが、少なくとも１個のローラからなることを特徴とする請求項１〜５のいずれか１項に記載の貼付治具。
【請求項８】
前記テープ保持部材が、粘着テープの剥離紙を排除し、整理する紙片処理部材をさらに有していることを特徴とする請求項１〜７のいずれか１項に記載の貼付治具。
【発明の詳細な説明】
【０００１】
【発明の属する技術分野】
本発明は、粘着テープの貼付治具に関し、さらに詳しく述べると、屈曲部及び（又は）湾曲部を備えた被着体に粘着テープを連続的に貼付することのできる粘着テープの貼付治具に関する。本発明の貼付治具を使用すると、被着体の形状が複雑であっても、粘着テープの保持を確実に行うことができ、かつ被着体のテープ被着面上を貼付治具を連続的に走行させて、すなわち、作業の途中で治具を脱着させないで、粘着テープを手早くかつスムーズに貼付することができる。さらに、この貼付治具を使用すると、屈曲部が鋭角や直角であっても、連続して粘着テープの貼付を行うことができる。
【０００２】
【従来の技術】
従来、自動車のサッシュフレームのような被着体に粘着テープを貼着する場合、貼付治具を使用して行うのが一般的である。これは、被着体の所定の部位に粘着テープを、皺がよらないようにまたエア噛みが発生しないように注意しながら手作業で圧着し、貼付したのでは、テープの貼付作業に手間、時間、そして熟練度を必要とするからである。
【０００３】
現在一般的に使用されている粘着テープの貼付治具は、通常、粘着テープを被着体に貼付するための貼付部と、被着体と貼付治具の距離及び位置を一定に保つためのガイド部と、粘着テープを保持し、貼付部に送り込むためのテープ保持部とをもって構成されている。このような貼付治具において、被着体と貼付治具の位置関係は、貼付治具のガイド部を被着体（例えば、サッシュフレーム）の予め定められた部位に当接させて保持するのが一般的であり、また、貼付治具の構成員であるガイド部と貼付部は、同軸線上に配置されているかもしくは近接した位置関係を保って配置されているのが望ましい。
【０００４】
ところで、自動車のサッシュフレームを例にとると、最近における車種の多様化と相まって、サッシュフレームの形状もまちまちとなっている。例えば、途中で屈曲しているものもあれば、湾曲しているものもある。フレームの屈曲部については、例えば、直角のものや鋭角のものがある。
【０００５】
図１は、従来一般的な粘着テープの貼付治具１００を使用して、屈曲部２１を有する自動車のサッシュフレーム２０の被着面２０ａに粘着テープ１１を貼付する例を示したものである。ここで使用したサッシュフレーム２０は、角度θがほぼ１２０度の屈曲部２１を有している。貼付治具１００は、粘着テープ貼付ヘッド１０２と、テープ保持部材１０６と、ローラの形をした治具ガイド１０３とを備えている。また、粘着テープ１１は、その貼付前、剥離紙１２によって粘着面が保護されている。
【０００６】
貼付治具１００は、まず、それを被着体２０の端部に取り付けて、直線部から粘着テープを貼り始める。次いで、貼付治具１００を矢印Ｆの方向に進行させて貼付作業を継続していく。被着体２０の屈曲部２１では、そのまま貼付作業を継続することができないので、通常、貼付治具１００を取り外して治具の姿勢の変更を行ったり、屈曲部専用の治具ガイドを取り付けたりしている。しかし、これらの作業は煩雑であり、作業工数を増加するばかりでなく、粘着テープの損傷も引き起こすので、図示の例では、図２に示すように、貼付治具１００に先端ガイド１０９を取り付けている。先端ガイド１０９によって、貼付治具１００の動きをよりスムーズにしようとするものである。
【０００７】
具体的には、図２（Ａ）に示すように、貼付治具１００が被着体２０の屈曲部２１に達したところで、貼付体勢にある貼付治具１００を開放し、その先端ガイド１０９を被着体２０に当接させる。次いで、被着体２０に先端ガイド１０９が当接した状態を維持しながら、図２（Ｂ）及び（Ｃ）に示すように、貼付治具１００を屈曲部１０９に沿って進行させる。なお、図２では、説明の簡略化のために粘着テープは省略されているが、粘着テープの貼付は連続して可能である。
【０００８】
しかし、図１及び図２を参照して上記した粘着テープの貼付治具は、依然として改良の余地を残している。例えば、貼付治具に先端ガイドを取り付けているけれども、治具の方向転換が容易ではなく、また、治具の走行には入念な注意が必要で、貼付作業に手間と時間がかかりすぎる。また、治具を開放状態にして貼付作業を行わなければならないので、貼付作業の中断によってテープ表面に筋状の貼付痕が生じたりエア噛みが発生しやすく、また、屈曲部や湾曲部において粘着テープを確実に保持できないという欠点がある。さらに、従来の貼付治具では、それを適用できる被着体の屈曲部の角度に限界があり、図１の屈曲部２１の角度θでせいぜい１１０度以上の角度をもった被着体に限って治具を使用できる。
【０００９】
【発明が解決しようとする課題】
本発明の目的は、特に長尺でその途中に屈曲部や湾曲部があるような被着体、例えば自動車のサッシュフレームなどに粘着テープを貼付する際に、作業者の熟練度によらずに手早く、安定かつ確実に貼付作業を行うことができ、その作業の途中で、例えば屈曲部があるような場合にも、貼付治具を被着体から取り外して手作業で作業を行ったりすることが不要である粘着テープの貼付治具を提供することにある。
【００１０】
本発明の目的は、特に、被着体の屈曲部が直角や鋭角であっても治具の方向転換を容易に行うことができ、あわせて粘着テープの保持も確実に行うことのできる粘着テープの貼付治具を提供することにある。
【００１１】
【課題を解決するための手段】
本発明者は、今までに予想されなかったことであるが、粘着テープの貼付治具を構成する治具ガイドに案内ピンを取り付けるとともに、テープ保持部材を上下２つの部材の組み合わせから構成するだけで、上述のような問題点を同時に解決できるということを見い出した。
【００１２】
したがって、本発明は、屈曲部、湾曲部、コーナー部等を備えた被着体に粘着テープを貼付するための貼付治具であって、
前記粘着テープを前記被着体のテープ被着面に圧着して貼付するテープ貼付ヘッド、
前記貼付治具を前記被着体に沿って案内するためのものであって、前記被着体を挟んで前記テープ貼付ヘッドとは反対の側に配置された治具ガイド、及び
一対の上下に相対する部材の組み合わせからなり、テープ案内空間を形成したテープ保持部材
を含んでなるとともに、
前記治具ガイドが、その移動時に前記被着体のテープ被着面とは反対側の面に当接可能な案内ピンをさらに備えていることを特徴とする粘着テープの貼付治具にある。
【００１３】
【発明の実施の形態】
本発明による粘着テープの貼付治具は、少なくとも、テープ貼付ヘッドと、治具ガイドと、テープ保持部材とを構成員として有している。また、これらの構成員は、そのいずれかが治具本体と同じ機能を有していてもよいが、通常、治具本体に取り付けられているかもしくは治具本体によって支承されている。
【００１４】
テープ貼付ヘッドは、粘着テープを被着体のテープ被着面に圧着して貼付するためのものであって、好ましくは、治具本体の側面の近傍に取り付けられている。また、治具ガイドは、本発明の貼付治具を被着体に沿って連続して案内するためのものであって、通常、治具本体の下方に、被着体を挟んでテープ貼付ヘッドと対峙するような位置に、すなわち、テープ貼付ヘッドとは反対の側に取り付けられている。治具ガイドは、治具本体の側面に取り付けられる場合もある。さらに、テープ保持部材は、テープ貼付ヘッドを確実に保持するとともに、粘着テープの貼付の進行にあわせて粘着テープをテープ貼付ヘッドに順次送り込むためのものであって、通常、テープ貼付ヘッドの上方の取り付けられている。さらにまた、本発明の貼付治具において、これらの構成員及び必要に応じて使用されるその他の構成員は、本発明の貼付治具をコンパクトにかつ軽量にまとめ、あわせて取扱い性等を改善するため、相互に関連づけて配置することが好ましい。
【００１５】
本発明の貼付治具では、粘着テープを被着体のテープ被着面に圧着するためにテープ貼付ヘッドが用いられる。このテープ貼付ヘッドによって、被着体のテープ貼付部位に粘着テープを位置決めし、押し付け、そして確実に圧着することができる。テープ貼付ヘッドは、通常、適当な支持フレームに取り付けた形で用いられ、また、テープ貼付ヘッドを取り付けた支持フレームはさらに治具本体に取り付けられる。支持フレームと治具本体が共通の部材であってもよい。
【００１６】
テープ貼付ヘッドは、いろいろな形状及びサイズを有することができ、また、いろいろな材料から形成することができる。例えば、テープ貼付ヘッドは円筒形部材や平板状部材などから構成することができる。特に円筒形部材は、被着体の上を回転可能に構成することができるので、高められた圧着効果を得るうえで有利である。また、円筒形部材の１変形例として、上下の面が偏平な円筒形部材を使用してもよい。さらに、テープ貼付ヘッドのサイズは、貼付治具全体のサイズや、組み合わせて使用される治具ガイドのサイズなどを考慮して、任意に変更可能である。
【００１７】
テープ貼付ヘッドは、被着体のテープ貼付部位の上を摺動しつつそのテープ貼付部位に対して粘着テープを順次押し付け、好ましくは徐々に押圧力を高めながら押し付け、最終的にはテープ貼付部位に対して粘着テープを密着させて貼付することを可能となすため、少なくともその表面部分を、粘着テープの滑動促進層及び緩衝層としての機能を有する表層から構成することが好ましい。適当な表層材料としては、弾性材料、例えば、天然及び合成ゴム、発泡プラスチック材料、例えば発泡ポリウレタン、各種のフェルト材料などを挙げることができる。また、弾性材料の表面に、強度の付与などのために薄いスキン層が被覆されていてもよい。さらに、このようなテープ貼付ヘッドの芯材は、例えば、金属材料、プラスチック材料などである。軽量化や加工性の面から、プラスチック材料を有利に使用することができる。
【００１８】
また、用いられるテープ貼付ヘッドの数であるが、１個だけであってもよく、あるいは、必要に応じて、２個もしくはそれ以上であってもよい。例えば、平板状部材からなる場合には１個であるのが好ましいが、円筒形部材からなる場合には２個以上であるのが好ましい。複数個のテープ貼付ヘッドを使用する場合には、それぞれの貼付ヘッドは、同一であっても、異なっていてもよい。異なる種類の貼付ヘッドを組み合わせて使用することによって、より大きなテープ圧着効果を得ることができるであろう。
【００１９】
本発明の貼付ヘッドでは、粘着テープをテープ貼付ヘッドへ順次送り込む作業を容易にし、かつ粘着テープを安定かつ確実に保持するため、テープ案内空間を形成可能なテープ保持部材がさらに用いられる。すなわち、テープ保持部材とテープ貼付ヘッドとの間に一定間隔の、通常はスリット状のテープ案内空間が形成されると、粘着テープを所定の張力で、ブラツキや走行路からの離脱を伴わないで、確実にテープ貼付ヘッドへ走行させることができるからである。本発明で使用するテープ保持部材は、テープ保持効果をより高めるため、一対の上下に相対する部材の組み合わせをもって構成される。ここで、２つの部材の組み合わせは本発明の作用効果が得られる限りにおいて任意に変更可能であるけれども、通常、矩形断面を有する上方の平板状部材あるいはロッド状部材と、それに相対する山形断面を有する下方の平板状部材とからなることが好ましい。さらに、山形断面の部材は、粘着テープの保持効果をより一層高めるため、以下に具体的に示すように、階段状に山の高さを増加しているのが好ましい。さらにまた、上方のテープ保持部材は、通常、その主たる面が粘着テープの走行面にほぼ平行に延在するように、テープ貼付ヘッドの支持フレームあるいは治具本体に固定して、あるいは回動可能に又は開閉可能に、取り付けられる。一方、下方のテープ保持部材は、通常、テープ貼付ヘッドの側面にテープのはみ出しが阻止されるような位置で取り付けられ、テープ保持機能を発揮する。
【００２０】
テープ保持部材は、それが粘着テープの走行に悪影響を及ぼさない限り、任意の形状、サイズ及び材料で形成することができる。例えば、テープ保持部材の形状は、上記からも理解されるように、細い円柱状又は角柱状のロッド、細長い又は幅広い平板などであることができる。また、これらのテープ保持部材のサイズは、粘着テープのサイズなどに応じて任意に変更することができる。テープ保持部材は、金属材料、プラスチック材料などから形成することができるが、加工性や重量などを考慮した場合、プラスチック材料の成形品が有用である。
【００２１】
テープ保持部材は、また、特に治具に対する粘着テープの装着を容易かつ安定にし、あわせて走行中の粘着テープの治具からの脱離を防止して安定な走行を保証するため、構造上の改良を施すことが好ましい。例えば、上方のテープ保持部材の末端部（自由端）がその下方に位置するテープ貼付ヘッドの対応部分とともにスリット状の開口、すなわち、粘着テープの装着口を開けているのが好ましい。特に、このテープ保持部材の自由端は、治具に粘着テープを装着するのを容易にし、装着後の粘着テープが貼付作業中に走行路から脱離するのを防止し、かつ必要に応じて治具から粘着テープを取り出すのを容易にするため、その先端からテープ案内空間に向かって内側に傾斜し、切欠部を形成していることが好ましい。また、この切欠部は、それに返しを付けて、テープ止め付き切欠部の形態で形成するのがさらに好ましい。
【００２２】
さらに、上方のテープ保持部材は、テープ貼付ヘッドの支持フレームなどに固定して取り付けてもよいが、回動可能にあるいは開閉可能に、すなわち、形成されたテープ案内空間を開放可能に取り付けることが好ましい。テープ案内空間が開放可能であると、粘着テープの装着時あるいは取り出し時にこれを開放し、大きな開口部を提供することができ、粘着テープに傷が付いたり、皺が発生するのを防止することができる。また、貼付治具に粘着テープを装着する場合にも、テープの装着口が大きいので、作業性が大幅に向上する。テープ保持部材の回動機構は、例えば、支持フレームにテープ保持部材をネジ止めし、そのネジを中心にテープ保持部材が回動可能なように構成することができる。また、テープ保持部材の開閉機構は、例えばヒンジ（丁番）あるいはそれに類する手段を支持フレームに取り付けて、テープ保持部材を折り畳み可能なように構成することができる。さらに、テープ保持部材の回動又は開閉作業を容易にするために、そのテープ保持部材の適当な位置にノブやハンドルを取り付けてもよい。
【００２３】
本発明の貼付治具では、治具を被着体に沿って移動させるために治具ガイドが用いられる。治具ガイドは、被着体と貼付治具の距離及び位置を一定に保って、粘着テープの貼付時、被着体の形状に沿って治具全体の移動方向を一定にし、治具の移動をスムーズにし、あわせてテープ貼付ヘッドの適正移動を図るものであり、したがって、被着体の予め定められた位置に当接し、テープ貼付ヘッドと組み合わさって被着体を挟持可能である。本発明の貼付治具で使用する治具ガイドは、従来の治具とは異なって、以下に詳細に説明するように、治具ガイドの移動時に被着体のテープ被着面とは反対側の面に当接可能な案内ピンをさらに備えていることが必要である。案内ピンは、通常、１個だけ取り付ければ十分であるが、必要ならば、２個以上を取り付けてもよい。案内ピンは、治具ガイドの形態によってその取り付け位置が変更になる。例えば、治具ガイドが平板状部材やそれに類する形状の部材からなる場合にはその部材に直に取り付けることができ、回転可能なローラからなる場合には、その（それらの）ローラを支持した部材に取り付けることができる。
【００２４】
案内ピンは、通常、小円柱の形で用いられる。また、案内ピンの大きさは、貼付治具の大きさに応じて変更できるけれども、通常、約１〜５ｍｍの直径及び約１〜１０ｍｍの高さである。また、案内ピンの材料は、特に限定されないけれども、強度、取り付け易さなどの面から、鉄、ステンレス鋼などが好適である。
【００２５】
治具ガイドは、通常、治具本体や適当な支持フレームにそれを固定してあるいは可動に取り付けることによって構成することができる。治具ガイドの形状、サイズ及び材料は、それぞれ、治具のスムーズな移動とテープ貼付ヘッドの適正移動という所期の作用を達成し得る限りにおいて特に限定されるものではない。例えば治具ガイドは、ローラ、平板などの任意の案内部材からなることができる。ローラの形をした治具ガイドを使用する場合、ローラは、１個でも２個以上でもよく、また、回転可能でも固定でもよい。例えば、少なくとも２個の並置された回転ローラをもって治具ガイドを構成することができる。かかる治具ガイドのサイズは、治具全体とのバランスによって任意に変更可能である。なお、治具ガイドが小さすぎると、それで被着体を安定に支承することができなくなるおそれがある。
【００２６】
治具ガイドは、各種の摺動性を具えた金属材料、プラスチック材料などから成形等により回転ローラあるいはその他の適当な形態に形成することができる。一例を示すと、硬質もしくは軟質の摺動性を備えたプラスチック材料から回転ローラの形で形成することができる。また、回転ローラは、本発明の範囲内においていろいろな形態を有することができ、硬質もしくは軟質のプラスチック材料だけからなっていてもよく、さもなければ、少なくとも表面部分が弾性材料から形成された回転ローラからなっていてもよい。弾性材料は、例えば、天然及び合成ゴム、発泡プラスチック材料、例えば発泡ポリウレタン、各種のフェルト材料などである。平板状の治具ガイドも、耐久性などを考慮して、硬質もしくは軟質の摺動性を備えたプラスチック材料から形成するのが好ましい。
【００２７】
本発明の貼付治具では、治具ガイドは、上述の治具ガイドのみからなってもよく、さもなければ、その治具ガイド（以下、「第１の治具ガイド」ともいう）と組み合わせて追加の治具ガイド（第２の治具ガイド）を有していてもよい。第２の治具ガイドは、第１の治具ガイドの働きを補助し、高める機能を有している。すわなち、第２の治具ガイドを使用すると、被着体に対する貼付治具の位置を一定にし、第１の治具ガイドとともに被着体を挟持し、かつ治具を姿勢制御する作業をより効率よく行うことができる。この第２の治具ガイドは、第１の治具ガイドとともに被着体を挟持することができればいかなる形状及びサイズを有していてもよいが、治具の小型化のため、なるべくコンパクトに構成することが好ましい。基本的には、この第２の治具ガイドも、前記した第１の治具ガイドと同様な形状及びサイズを有することができる。第２の治具ガイドは、好ましくは、プラスチック製の回転ローラからなり、また、回転ローラは、１個だけで使用してもよく、あるいは、２個もしくはそれ以上の同一もしくは異なる形状及びサイズの回転ローラを組み合わせて使用してもよい。複数の回転ローラを使用する場合には、それらのローラを並置して使用するのが好ましい。
【００２８】
第２の治具ガイドも、第１の治具ガイドと同様に、被着体を挟んでテープ貼付ヘッドとは反対の側に配置されることが好ましい。また、この治具ガイドの配置位置は任意に変更可能であるけれども、第２の治具ガイドの配置パターンは、第１の治具ガイドの配置パターンとの関連で、最適なものを選択することが好ましい。
【００２９】
本発明の貼付治具では、上記したように、治具の構成員のそれぞれを支持部材、好ましくは支持フレーム、あるいは支持部材の代用の治具本体によって支承するのが有利である。それぞれの構成員は、通常、専用の支持フレームによって支承するが、必要に応じて、共通の支持フレームによって支承してもよい。また、２個もしくはそれ以上の支持フレームをボルト・ナット、接着剤等の接合手段を使用して一体的に結合してもよい。これらの支持フレームは、通常、治具本体に取り付けられるけれども、場合によっては、１つの支持フレームを別の支持フレームを介して治具本体に取り付けてもよい。支持フレームの寸法及び形状は、治具の作業性及び取扱い性などを考慮して、それに適したものであることが望ましい。支持フレームに適当な材料は、金属材料、例えば鉄、アルミニウム又はその合金類、プラスチック材料、例えばポリプロピレン樹脂、ポリエチレン樹脂、ポリアセタール樹脂、ＡＢＳ樹脂、ナイロン樹脂、含フッ素樹脂、アクリル樹脂など、その他である。このような材料のなかで、特に適当な材料は、長時間の作業にもその重量が負担とならないような軽量なプラスチック材料である。なお、本発明の貼付治具では、その取扱い性などを改善するために以下に説明するように把持具を併用することが好ましいが、支持フレーム自体に把持具としての機能を持たせてもよい。
【００３０】
本発明の貼付治具では、さらに、粘着テープを貼付治具にセットする作業をより改善し、かつ粘着テープの貼付圧着力を制御するため、付勢部材を治具本体に、あるいは必要に応じてその他の構成員に、取り付けることが好ましい。例えば、付勢部材は、テープ貼付ヘッド、治具ガイド、テープ保持部材あるいはこれらの部材の支持フレームに取り付けることができる。例えば付勢部材がテープ貼付ヘッドと治具ガイドの少なくとも一方に取り付けられていると、その付勢部材の伸縮により、テープ貼付ヘッドと治具ガイドとの間の垂直方向の間隔を調整可能である。
【００３１】
付勢部材は、その部材が所期の機能を有している限りにおいて特に限定されないというものの、好ましくは、バネ、スプリング等の伸縮可能な部材である。これらの付勢部材は、治具の小型化などを図るため、例えば、その主たる部分を治具本体や部材そのもの又は部材の支持フレームに開けた開孔に内蔵させて取り付けるのが好ましい。例えば治具本体内に付勢部材があると、付勢部材を縮めることによってテープ貼付ヘッドと治具ガイドの間の間隔を開けることができるので、貼付治具を被着体の所定の部位に取り付ける作業を容易にかつ正確に行うことができる。また、付勢部材をもとの開放状態とすると、貼付治具の使用時に、テープ貼付ヘッドと治具ガイドを適正な押圧力で被着体に当接させることができ、粘着テープを被着体に高められた圧着力で貼付することができる。
【００３２】
本発明の貼付治具は、付勢部材に加えて、好ましくは、付勢部材と組み合わせて、把持具を備えていることが好ましい。把持具により、粘着テープの貼付作業や付勢部材の伸縮を容易に行うことができるからである。把持具は、通常、一対のプレート状のプラスチック製部材を治具本体あるいは支持フレームに取り付けて使用するのが好ましいが、必要に応じて、その他の形態に構成してもよい。
【００３３】
また、本発明の貼付治具は、粘着テープにはその保護のために通常剥離紙が備わっているので、その剥離紙を排除し、整理する紙片処理部材をさらに有していることが好ましい。紙片処理部材は、いろいろな形状及びサイズを有することができるが、通常、剥離紙の排除位置に金属又はプラスチックロッド、金属ワイヤなどを配置するのが好ましい。これらの紙片処理部材は、好ましくは、テープ保持部材に取り付けられる。
【００３４】
本発明の実施において、被着体及びそれに貼付する粘着テープは、特に限定されるものではなく、この技術分野において一般的に使用されているものを、そのまま、さもなければ、なんらかの適当な改良又は変更を施した後で使用することができる。例えば、被着体は、自動車等の車両、建築物、その他の構造物や、機械類、家庭電化製品等、広範囲の物品である。しかし、長尺で途中に１個所もしくは複数個所の屈曲部、湾曲部、コーナー部などがあるような物品を被着体として使用した時に、本発明の貼付治具の作用効果を良好に発揮させることができる。屈曲部は、直角や鋭角であってもよい。このような特定形状の被着体としては、例えば、自動車のドア部分のフレーム、いわゆるドアサッシュなどを挙げることができる。また、粘着テープは、紙、プラスチック材料等の任意の基材上に粘着剤層、例えばアクリル系接着剤、エポキシ系接着剤、ウレタン系接着剤、シリコーン系接着剤、フェノール系接着剤、塩化ビニル系接着剤などの層を施し、さらにその上に、粘着剤層の保護のために離型紙を施したものである。粘着テープの形状は、ロール状、シート状、フィルム状などであり、また、そのサイズも、幅の狭いものから広いものまで、広範囲である。また、必要に応じて、被着体の形状にあわせて予め細断してある粘着テープを使用してもよい。
【００３５】
本発明による貼付治具を使用した被着体への粘着テープの貼付は、いろいろな手順に従って実施することができるけれども、通常、次のような手順に従って実施するのが好ましい。
【００３６】
１．貼付治具に粘着テープをセットする。具体的には、上下に２個のテープ保持部材により形成されたテープ案内空間のスリット状の開口部から離型紙付き粘着テープを挿入してセットする。また、上方のテープ保持部材が回動可能又は開閉可能に構成されている場合、そのテープ保持部材を適当な位置に移動させてテープ案内空間を開放し、離型紙付き粘着テープをセットする。
【００３７】
２．粘着テープを貼付治具内にセットした状態で、粘着テープと離型紙を分離する。なお、所望ならば、離型紙の分離作業を後の段階で行ってもよい。
【００３８】
３．付勢部材の伸縮によりテープ貼付ヘッドと治具ガイドの間隔を増加させ、貼付治具を被着体の所定の部位にセットする。その際、貼付治具にセットされた粘着テープの粘着面が被着体のテープ貼付部位に対向するように調整する。なお、テープ貼付ヘッドがヒンジ機構により開放できるように構成されている場合には、その開放状態で貼付治具をセットし、その後で貼付ヘッドをもとの閉じた状態に戻して貼付治具の固定を行う。
【００３９】
４．貼付治具を被着体に固定した状態で、テープ貼付ヘッドをテープ貼付位置に案内する。その際、粘着テープのすでに露出している粘着面がテープ貼付部位の始端に合致するように位置決めを行い、圧着して貼付する。
【００４０】
５．テープを貼付した被着体のテープ貼付部位（始端）から、テープ貼付部位の終端に向けて貼付治具を滑らせ、進行させる。この間、２個の上下に配置されたテープ保持部材の働きによって、貼付テープを確実に保持し、外れや損傷を防止できる。
【００４１】
６．治具の進行とともに、テープ貼付部位を巻き込むようにして粘着テープが押し付けられ、治具の押圧力でもって被着体に圧着及び貼付される。
【００４２】
被着体の途中に屈曲部や湾曲部があるような場合にも、治具ガイドに備わった案内ピンの働きで貼付治具がスムーズに進行し、方向転換時にも何らの支障も生じることなく、粘着テープを貼付することができる。また、この場合にも、テープ保持部材の働きによって貼付テープを確実に保持することができる。
【００４３】
７．治具が被着体のテープ貼付部位の終端を離れた段階で、被着体への粘着テープの貼付作業が完了する。
【００４４】
本発明の貼付治具を使用して上述のようにテープ貼付作業を実施すると、被着体の屈曲部等で貼付治具の方向転換を容易に行うことができる。また、粘着テープの保持が直線部や屈曲部などで確実に可能であり、テープの取り扱いが容易となることから、貼付作業をスムーズに行うことができる。もちろん、本発明の貼付治具を使用すると、皺やエア噛みが発生することもなければ、貼付後の粘着テープをさらにスキージで押し付ける等の追加の作業も不要である。また、粘着テープの貼付を、被着体の端からスタートするのはもちろんのこと、必要に応じて、被着体の途中にある所望の部位から、その部位に貼付治具を装着して、スタートすることも容易に可能である。
【００４５】
【実施例】
以下、添付の図面を参照しながら本発明による粘着テープの貼付治具の好ましい実施例を説明する。なお、本発明の貼付治具は下記の実施例に限定されるものではないことを理解されたい。
【００４６】
図３は、本発明による貼付治具の好ましい１例を示した斜視図である。貼付治具１０は、手持ち作業がし易いようにコンパクトに構成されるとともに、把持具としてのプレート状ハンドル８及び１８を備えている。また、この貼付治具１０は、強度を高め重量を軽減するため、それぞれの部材がポリアセタール樹脂で作られている。貼付治具１０の中心は治具本体１であり、これにいろいろな構成員（例えば、テープ貼付ヘッド２、治具ガイド３及びテープ保持部材６及び１６）、またその支持フレームが取り付けられている。また、図３では見えていないが、治具ガイド３には案内ピンが取り付けられている。治具ガイド３は、それ自体が摺動性を有するプラスチック材料（ここでは、ポリアセタール樹脂製ブロック）からなる。
【００４７】
テープ貼付ヘッド２は、図４に示すように、テープ貼付時に被着体２０の上方に位置し、そのテープ貼付面２０ａに押し付けられるように構成されている。図示の場合、３個の同じ大きさのテープ貼付ヘッド２が取り付けられている。テープ貼付ヘッド２は、図示されるように、治具本体１上の支持フレームの側面から延在するようにして取り付けられている。それぞれのテープ貼付ヘッド２は円筒形であり、その表面には貼付作業の円滑な実施のために弾性ゴムが被覆されている。なお、このようなテープ貼付ヘッドに代えて、１個の大型の、例えば楕円形あるいはそれに類似の形状を有するテープ貼付ヘッドを使用してもよい。
【００４８】
テープ貼付ヘッド２にはさらに、２個のテープ保持部材６及び１６が、上下に相対するようにして配置されている。一方のテープ保持部材６は、テープ貼付ヘッド２の支持フレームを介して上方に取り付けられ、また、他方のテープ保持部材１６は、テープ貼付ヘッド２の端面に取り付けられている。テープ保持部材６は、テープ貼付ヘッド２を跨ぐように配置された棒状部材であり、テープ保持部材１６は、その断面が徐々に変化する特殊な形状の山形部材である。これらのテープ保持部材６及び１６は、その下方に位置するテープ貼付ヘッド２と組み合わさって、テープ案内空間５（図４を参照）を構成している。また、図示のテープ保持部材６は固定式であるが、テープ案内空間に粘着テープを容易に装着可能とするため、回動可能に変更してもよい。
【００４９】
テープ貼付ヘッド２は、治具本体１に取り付けられた治具ガイド３の助けを借りて被着体２０のテープ貼付面２０ａの上を摺動可能である。テープ貼付ヘッド２が治具ガイドから離れた時に貼付治具１０を被着体２０に容易にセット可能であり、粘着テープの貼付作業に入る時、テープ貼付ヘッド２を元の位置に戻して、それが治具ガイドに対向するようにする。
【００５０】
図示の貼付治具１０の場合、そのテープ貼付ヘッド２に隣接してロッド状のステンレス製紙片処理部材９が取り付けられている。紙片処理部材９は、所望ならば省略してもよいが、貼付作業中に不要となった剥離紙を粘着テープから排除し、整理するのに有効である。図示のロッド状部材に代えて、金属ワイヤ製の部材を使用するのも、軽量化などの面で有利である。
【００５１】
また、治具本体１には、付勢部材として機能するバネ（図示せず）が取り付けられている。バネは、治具本体１に取り付けたハンドル８及び１８によって伸縮可能であり、治具ガイド３とテープ貼付ヘッド２の間の間隔を任意に調整可能である。すなわち、バネを縮めて治具ガイド３とテープ貼付ヘッド２の間の間隔を広げることで、治具本体１を被着体２０に取り付ける作業を容易にすることができる。反対に、ハンドル８及び１８を押し付けることを中止してバネを開放状態とした時には、治具ガイド３とテープ貼付ヘッド２の間の間隔が狭まるので、粘着テープの貼付時、被着体２０に対してテープ貼付ヘッド２を介して粘着テープを押し付ける力（貼付圧着力）を適正に制御することができる。
【００５２】
図４及び図５は、図３に示した貼付治具に類似の、本発明の貼付治具のもう１つの好ましい実施形態を示したものであり、それぞれ、正面図及び側面図である。貼付治具１０における被着体２０の位置関係が容易に理解されるであろう。
【００５３】
図示の貼付治具１０は、ポリアセタール樹脂製の治具本体１を有している。また、治具本体１には、治具ガイド３とテープ貼付ヘッド２が、それぞれポリアセタール樹脂製の支持フレームを介して取り付けられている。治具ガイド３は、１個のポリアセタール樹脂製ブロックからなり、その上面にステンレス鋼製の案内ピン１３が埋め込まれている。テープ貼付ヘッド２は、治具ガイド３がその側面に沿って移動させられる被着体２０のテープ貼付面に当接可能な位置に存在し、アセタール樹脂製の支持フレームを介して治具本体１に取り付けられている。
【００５４】
また、テープ貼付ヘッド２は、図３の場合と同様に３個の円筒形ガイドローラからなり、かつ周囲を包囲されたテープ案内空間５を形成するため、一対のテープ保持部材６及び１６を備えている。テープ保持部材６及び１６も、図３の場合と同様な構成を有している。
【００５５】
図示の貼付治具１０において、治具本体１にはさらに、図示しない付勢部材（バネ）、紙片処理部材９、そしてポリアセタール樹脂製の把持具（ハンドル）８及び１８が取り付けられている。
【００５６】
以上に説明した貼付治具１０において、治具ガイド３は、１個のポリアセタール樹脂製ブロックから構成したが、その他の部材に変更してもよい。例えば、このブロックを１個もしくはそれ以上のガイドローラに交換してもよい。一例を示すと、図６に示されているように、それぞれが回転可能な２個の並置されたプラスチック製ガイドローラから治具ガイド３を構成してもよい。それぞれのガイドローラは、被着体２０に当接し、貼付治具１０をそれにそって案内可能である。また、これらのガイドローラを取り付けた支持フレームに、本発明に従い案内ピンが取り付けられる。
【００５７】
図６は、本発明の別の態様に従う貼付治具１０を使用して被着体２０に粘着テープを貼付する作業を、順を追って示したものである。被着体２０は、自動車のサッシュフレームの部分であり、その途中に大きな屈曲部２１を有している。この被着体２０のテープ貼付面２０ａに、一般にブラックアウトと称される粘着テープが貼付される。粘着テープは、説明の簡略化のために図示しないこととするが、その粘着剤層の保護のために剥離紙を有している。なお、図示の貼付治具１０は、治具ガイド３をガイドローラに変更した違いを除いて基本的には上記の貼付治具１０と同様な構成を有するので、以下、同じ参照番号を付与して説明する。
【００５８】
先ず、離型紙付きの粘着テープを貼付治具１０のテープ保持部材６の下方に形成されたテープ案内空間５に、粘着テープの先端をテープ保持部材６の先端の切欠部の傾斜面にあてがいつつ差し込む。
【００５９】
テープ案内空間５に粘着テープを差し込んだ後、貼付治具１０を被着体２０にセットする。先ず、テープ貼付ヘッド２をスライドさせて、それを治具ガイド３から遠い位置に移動させる。この状態でバネを縮め、治具ガイド３とテープ貼付ヘッド２の間隔を広げ、貼付治具１０を被着体２０にセットし、固定する。
【００６０】
次いで、テープ貼付ヘッド２を元に戻して、粘着テープ貼付の状態とする。粘着テープを離型紙から分離した後、図６（Ａ）に示すように、テープを貼付した被着体２０のテープ貼付部位（始端）から、テープ貼付部位の終端に向けて貼付治具１０を矢印Ｆの方向に滑らせ、進行させる。被着体２０のテープ貼付面を治具１０が進行するとともに、治具の押圧力でもって粘着テープが被着体２０に圧着され、貼付される。
【００６１】
被着体２０の屈曲部２１では、図６（Ｂ）〜図６（Ｄ）に示すように、貼付治具１０のスムーズな方向転換が行われる。すなわち、治具ガイド３が被着体２０の側面に当接したままの状態で貼付治具１０の方向転換が行われる。また、この方向転換に応じて、貼付治具１０のテープ案内空間５を案内されている粘着テープも安定に保持された状態で方向転換され、テープ貼付ヘッド２によって被着体２０のテープ貼付面に押し付けられ、貼付される。
【００６２】
【発明の効果】
以上に説明したように、本発明の貼付治具を使用すると、被着体が長尺でその途中に屈曲部や湾曲部などが含まれたとしても、貼付治具の方向転換を容易に行うことができ、また、これらの部分や直線部において粘着テープの保持を確実に行うことができる。
【００６３】
また、屈曲部などで貼付治具を取り外して手作業でテープの貼付を行うというような煩雑な作業を行わないで済み、かつ貼付治具を被着体に沿って連続して走行することができるので、ストップ痕の発生がなく、手早く、容易にかつ安定して粘着テープの貼付を行うことができる。
【００６４】
さらに、本発明の貼付治具では、テープ貼付ヘッドに対向して案内ピン付きの治具ガイドを配置したので、貼付作業中、貼付治具をその走行路から脱離させることなくスムーズに移動させることができ、貼付作業をスムーズに行うことができる。
【００６５】
さらにまた、本発明の貼付治具を使用すると、作業者の熟練度によらず、特に形状の変化に伴い粘着テープの貼付方向（角度）が変化した場合であっても、その変化した角度を問わず、しかも貼り剥がしを行わずに、容易にかつ正確に粘着テープを貼付することができる。
【図面の簡単な説明】
【図１】従来の粘着テープの貼付治具の１使用例を示した説明図である。
【図２】図１の貼付治具の、被着体の屈曲部における動きを順を追って示した説明図である。
【図３】本発明による粘着テープの貼付治具の好ましい１実施形態を示した斜視図である。
【図４】本発明による粘着テープの貼付治具のもう１つの好ましい実施形態を示した正面図である。
【図５】図４の貼付治具の側面図である。
【図６】本発明の貼付治具の、被着体の屈曲部における動きを順を追って示した説明図である。
【符号の説明】
１…治具本体
２…テープ貼付ヘッド
３…治具ガイド
４…スライド部材
５…テープ案内空間
６…粘着テープ保持部材
８…把持具
９…紙片処理部材
１０…粘着テープの貼付治具
１３…案内ピン
１６…粘着テープ保持部材
１８…把持具
２０…被着体
２０ａ…テープ被着面
【図１】
2004142932.tif 000003
【図２】
2004142932.tif 000004
【図３】
2004142932.tif 000005
【図４】
2004142932.tif 000006
【図５】
2004142932.tif 000007
【図６】
2004142932.tif 000008